(57)【要約】【課題】等間隔に立設した支柱に脚体を脚取付部材にて取付け、隣接する脚体間に天板を取付けて机を構成し、支柱にブラケットを取付け、隣接するブラケットに棚板を載置した構造の棚付き机において、端部に側面パネルを強固且つ外観性の優れた状態で取付ける棚付き机における側面パネルの取付装置を提供する。【解決手段】支柱３の前後両面には、その中心線に係止孔１３を形成し、係止孔を利用して脚体４とブラケットを取付け、脚体に載置した天板６の側端とブラケットに載置した棚板の側端の位置を支柱の中心線に略一致させたときに形成される支柱の前後面と、天板の側端と棚板の側端との包絡面が作る空間に側面パネル１１を配置し、側面パネルの後端部内側端に突設した下向きフック３３を係止孔に嵌合係止するとともに、支柱から離れた位置で側面パネルの前部内面を脚体又は天板に連結した。【選択図】        図６
2008086539.tif 000002
【特許請求の範囲】
【請求項１】
等間隔に立設した支柱に脚体を脚取付部材にて取付け、隣接する脚体間に天板を取付けて机を構成し、該机の上方で前記支柱の所定高さ位置にはブラケットを着脱自在に取付けるとともに、隣接するブラケットに棚板の両側部を載置した構造の棚付き机であって、前記支柱の前後両面には、その中心線に沿って一列に係止孔を所定間隔毎に形成し、前記係止孔を利用して脚体とブラケットを取付け、該脚体に載置した天板の側端と前記ブラケットに載置した棚板の側端の位置を前記支柱の中心線に略一致させたときに形成される支柱の前後面と、天板の側端と棚板の側端との包絡面が作る空間に側面パネルを配置し、該側面パネルの後端部内側端に突設した下向きフックを前記係止孔に嵌合係止するとともに、前記支柱から離れた位置で前記側面パネルの前部内面を前記脚体又は天板に連結したことを特徴とする棚付き机における側面パネルの取付装置。
【請求項２】
前記下向きフックを設けた取付板を、前記側面パネルの後端部内側端の上下複数箇所に、該下向きフックの側面が該側面パネルの内面と略面一になるように取付け、前記脚取付部材の外側面に前記側面パネルの内面又は前記下向きフック近傍の取付板の側面を当接した状態で、前記下向きフックを前記支柱の係止孔に嵌合係止するとともに、記脚体の接地部と天板支持部の先端側にそれぞれ連結金具にて前記側面パネルの内面を連結してなる請求項１記載の棚付き机における側面パネルの取付装置。
【請求項３】
前記支柱にその端部の略半分を外覆する支柱カバーを取付けるとともに、該支柱カバーの外面と前記側面パネルの外面とを略面一に設定してなる請求項１又は２記載の棚付き机における側面パネルの取付装置。
【請求項４】
前記側面パネルの外面には多数の半パンチ孔を形成し、該半パンチ孔を利用して側面パネルの外面に支持部材を取付け、該支持部材で小天板、小棚板、トレー等のオプションを取付けてなる請求項１〜３何れかに記載の棚付き机における側面パネルの取付装置。
【発明の詳細な説明】
【技術分野】
【０００１】
本発明は、棚付き机における側面パネルの取付装置に係わり、更に詳しくは机の脚体の後部に収納棚の支柱を立設するとともに、机の側部に側面パネルを設けた棚付き机における側面パネルの取付装置に関するものである。
【背景技術】
【０００２】
従来から、机の背後に棚を連結して構成した棚付き机は各種提供されている。例えば、特許文献１には、机の背面と側面にパネルと取付けるとともに、背面パネルには棚板を設けた構造の机とパネルの組合せ家具が開示されている。具体的には、複数の脚で天板を支持して机を構成し、両側一対の脚にパネル両側部を、ブラケット板を介して連結するようになっている。そして、オプションとして天板とパネルとの間の空間に一対の支柱を配し、該支柱の一部を脚に取付けることによって自立させ、この両側支柱間を横架部材で連結するとともに、上端部に取付けた棚受部材で棚板を背面パネルの前面側に支持する構造が開示されている。
【０００３】
つまり、前述の特許文献１に記載の家具は、机の天板の周囲を取り囲むように設けるパネルを、棚板を支持する支柱とは関係なく机の脚に取付けた構造である。それに対して、本発明が対象としているのは、脚体、天板、支柱、連結杆、ブラケット、棚板等の共通の基本構成ユニットを順次側方へ連結して所望幅の収納棚を構成するとともに、支柱に机の天板を支持する脚体を取付ける連増しタイプのものであり、それを実現するには、同一の支柱を用い、該支柱を同じピッチで立設する必要がある。そのため、前記支柱の中心線に前記棚板、天板の端部が位置することになる。尚、部品点数を減らすために、中間部の支柱に連結する脚体は左右の天板の支持に共用することが望ましく、その場合には脚体と支柱の中心線とが一致する。
【０００４】
このような連増しタイプの棚付き机は、最小限の部品点数で構成した基本ユニットを繰り返し連結することにより所望の規模に拡張できる利点があるが、端部の処理は必要である。つまり、このような棚付き机の端部において、天板の端縁が端部に位置する支柱の中心線の位置にあり、また端部の脚体は天板の端部から突出しないように取付ける必要があることの必然として、天板の端縁若しくは脚体の外側面よりも支柱の端側半分が露出することになり、この部分に段部が残る、言い換えれば天板の側端から支柱の半分が側方に突出しているのである。
【特許文献１】特開２００１−２０４５５１号公報
【発明の開示】
【発明が解決しようとする課題】
【０００５】
そこで、本発明が前述の状況に鑑み、解決しようとするところは、等間隔に立設した支柱に脚体を脚取付部材にて取付け、隣接する脚体間に天板を取付けて机を構成し、該机の上方で前記支柱の所定高さ位置にはブラケットを着脱自在に取付けるとともに、隣接するブラケットに棚板の両側部を載置した構造の棚付き机において、端部に位置する支柱と脚体の外側面との間の段差を積極的に利用して側面パネルを強固且つ外観性の優れた状態で取付ける棚付き机における側面パネルの取付装置を提供する点にある。
【課題を解決するための手段】
【０００６】
本発明は、前述の課題解決のために、等間隔に立設した支柱に脚体を脚取付部材にて取付け、隣接する脚体間に天板を取付けて机を構成し、該机の上方で前記支柱の所定高さ位置にはブラケットを着脱自在に取付けるとともに、隣接するブラケットに棚板の両側部を載置した構造の棚付き机であって、前記支柱の前後両面には、その中心線に沿って一列に係止孔を所定間隔毎に形成し、前記係止孔を利用して脚体とブラケットを取付け、該脚体に載置した天板の側端と前記ブラケットに載置した棚板の側端の位置を前記支柱の中心線に略一致させたときに形成される支柱の前後面と、天板の側端と棚板の側端との包絡面が作る空間に側面パネルを配置し、該側面パネルの後端部内側端に突設した下向きフックを前記係止孔に嵌合係止するとともに、前記支柱から離れた位置で前記側面パネルの前部内面を前記脚体又は天板に連結したことを特徴とする棚付き机における側面パネルの取付装置を構成した（請求項１）。
【０００７】
ここで、前記下向きフックを設けた取付板を、前記側面パネルの後端部内側端の上下複数箇所に、該下向きフックの側面が該側面パネルの内面と略面一になるように取付け、前記脚取付部材の外側面に前記側面パネルの内面又は前記下向きフック近傍の取付板の側面を当接した状態で、前記下向きフックを前記支柱の係止孔に嵌合係止するとともに、記脚体の接地部と天板支持部の先端側にそれぞれ連結金具にて前記側面パネルの内面を連結してなることが好ましい（請求項２）。
【０００８】
更に、前記支柱にその端部の略半分を外覆する支柱カバーを取付けるとともに、該支柱カバーの外面と前記側面パネルの外面とを略面一に設定してなることがより好ましい（請求項３）。
【０００９】
また、前記側面パネルの外面には多数の半パンチ孔を形成し、該半パンチ孔を利用して側面パネルの外面に支持部材を取付け、該支持部材で小天板、小棚板、トレー等のオプションを取付けてなることも好ましい（請求項４）。
【発明の効果】
【００１０】
以上にしてなる請求項１に係る発明の棚付き机における側面パネルの取付装置は、等間隔に立設した支柱に脚体を脚取付部材にて取付け、隣接する脚体間に天板を取付けて机を構成し、該机の上方で前記支柱の所定高さ位置にはブラケットを着脱自在に取付けるとともに、隣接するブラケットに棚板の両側部を載置し、同じ構造を側方へ繰り返して拡張する連増しタイプの棚付き机において、端部に必然的に生じる段部、即ち支柱の端部側半分の前後面と、天板の側端と棚板の側端との包絡面が作る空間を利用して、この空間に側面パネルを配置して取付けるので、側面パネルを取付けるために新たなスペースが不要であり、また支柱の前後両側に机を設ける両面使い又は前後一側に机を設ける片面使いの両方の態様でも各机の天板の側端に側面パネルを設けるので対応することができ、しかも側面パネルの後端部内側端に突設した下向きフックを支柱の係止孔に嵌合係止するとともに、支柱から離れた位置で側面パネルの前部内面を机の脚体又は天板に連結するだけで簡単且つ強固に取付けることができるのである。
【００１１】
請求項２によれば、前記下向きフックを設けた取付板を、前記側面パネルの後端部内側端の上下複数箇所に、該下向きフックの側面が該側面パネルの内面と略面一になるように取付け、前記脚取付部材の外側面に前記側面パネルの内面又は前記下向きフック近傍の取付板の側面を当接した状態で、前記下向きフックを前記支柱の係止孔に嵌合係止するとともに、記脚体の接地部と天板支持部の先端側にそれぞれ連結金具にて前記側面パネルの内面を連結してなるので、側面パネルを机の天板の側端に密着状態で簡単且つ強固に取付けることができるのである。
【００１２】
請求項３によれば、前記支柱にその端部の略半分を外覆する支柱カバーを取付けるとともに、該支柱カバーの外面と前記側面パネルの外面とを略面一に設定してなるので、片面使い又は両面使いの両方タイプにおいても外観性に優れたものとなり、また支柱カバーの色を変えることによりデザイン的なアクセントとなる。
【００１３】
請求項４によれば、側面パネルの外面には多数の半パンチ孔を形成し、該半パンチ孔を利用して側面パネルの外面に支持部材を取付け、該支持部材で小天板、小棚板、トレー等のオプションを取付けてなるので、側面パネルの外側空間を有効に利用することができる。
【発明を実施するための最良の形態】
【００１４】
次に、添付図面に示した実施形態に基づき、本発明を更に詳細に説明する。図１〜図３は本発明に係る棚付き机を示し、図４〜図１１は本発明の詳細を示し、図中符号１は収納棚、２は机、３は支柱、４は脚体、５は脚取付部材、６は天板、７は連結杆、８はブラケット、９は棚板、１０は幕板、１１は側面パネル、１２は支柱カバーをそれぞれ示している。
【００１５】
本実施形態の棚付き机は、図１〜図３に示すように、収納棚１と机２とからなり、側方へ同一のユニットを継ぎ足して横幅の広い棚付き机を構成する連増しタイプのものであり、複数の支柱３，…を同一間隔毎に立設し、それぞれ各支柱３に脚体４を脚取付部材５にて取付け、隣接する脚体４，４間に天板６を取付けて机２を構成し、隣接する支柱３，３の上端間を連結杆７で連結するとともに、前記机２の上方で前記支柱の所定高さ位置にはブラケット８，…を着脱自在に取付けるとともに、隣接するブラケット８，８に棚板９の両側部を載置し、更に前記天板６の下方で両脚体４，４の後端部間又は支柱３，３間に幕板１０を取付けている。尚、図示しないが、前記天板６の上方で隣接する支柱３，３間に、オプションとしてバックパネルを取付けることも可能である。
【００１６】
本実施形態では支柱３，…の前後両側に机２，２を設けているが、前記机２は片側のみであっても構わない。また、本実施形態では、支柱３，…は全て同一形状のものであり、支柱３，…を等間隔で立設し、また前記天板６及び棚板９は同一横幅であり、その側端面の位置は支柱３の中心線と略一致している。更に、前記机２を構成する脚体４は全て同一形状であり、端部に位置する脚体４は天板６の側端面よりも内側位置に取付けてあり、また中間部に位置する脚体４は隣接する天板６，６に跨るように、該脚体４の中心線が隣接する天板６，６の接合線と一致するように設定している。ここで、前記連結杆７によって同一ピッチに設定される。
【００１７】
このような連増しタイプの棚付き机の端部において、前記脚体４に載置した天板６の側端と前記ブラケット８に載置した棚板９の側端の位置を前記支柱３の中心線に略一致させたときに形成される支柱３の前後面と、天板６の側端と棚板９の側端との包絡面が作る空間が必然的に形成される。本発明ではこの空間を利用して側面パネル１１を配置し、該側面パネル１１を支柱３と端部の脚体４に連結し、また支柱３の外側略半分を支柱カバー１２で外覆するようにしている。
【００１８】
更に詳しくは、図４〜図６に示すように、前記支柱３の前後両面には、その中心線に沿って一列に係止孔１３，…を所定間隔毎に形成している。そして、前記脚体４を支柱３に連結するための前記端部用脚取付部材５は、外側に後方へ延びた係止板１４を有するとともに、該係止板１４の内側に平行に固定板１５を有し、前記係止板１４の後端部には、前記支柱３の係止孔１３，…に嵌合係止する複数の下向きフック１６，…を上下に列設している。前記脚取付部材５は、前記脚体４の後端面に接合してネジ止めした状態で、前記係止板１４の下向きフック１６，…を前記支柱３の係止孔１３，…に嵌合係止するとともに、前記固定板１５を支柱３の内側面にネジ止めして取付ける。
【００１９】
このように、一定ピッチで支柱３，…を立設するとともに、各支柱３に脚体４を脚取付部材５を用いて連結するが、端部に位置する脚体４は、前記天板６の側端よりも若干内方に連結片４Ａで取付けている。そのため、棚付き机の端部では、前記天板６及び棚板９の各側端を結ぶ垂直面よりも前記支柱３は係止孔１３の中心から外側部分の略半分が側方へ突出した状態となるのである。
【００２０】
更に詳しく、図４〜図８に基づいて、前記側面パネル１１と支柱カバー１２を説明する。前記側面パネル１１は、外側パネル１７と内側パネル１８と、前記支柱３に取付ける複数の取付板１９，…とからなる。前記外側パネル１７は、半パンチ孔２０を多数形成した表面板２１の周囲を内側へ折曲して内方へ開放した扁平箱状とし、内面側の両側部に縦補強部材２２，２２が固着されている。また、前記内側パネル１８は、内面板２３の周囲を外側折曲して外方へ開放した扁平箱状としたものである。そして、前記内側パネル１８の一側縁に形成した係合段部２４を、前記外側パネル１７の一側縁に形成した折曲縁２５の内側に係合するとともに、外側パネル１７に内側パネル１８を重合し、他側の縦補強部材２２に内側パネル１８をネジ止めして前記側面パネル１１の本体を形成する。
【００２１】
また、前記取付板１９は、側面パネル１１の内面側に取付けるが、それには前記内側パネル１８の端面で内面板２３に沿った位置にスリット孔２６を上部に３箇所、下部に１箇所形成するとともに、前記縦補強部材２２の頂部にもスリット孔２７を形成し、各スリット孔２６，２７に前記取付板１９の固定部２８を挿入し、前記内面板２３と縦補強部材２２の板を貫通させたネジ２９を前記固定部２８に螺合して取付ける。ここで、前記内側パネル１８は、前記外側パネル１７より横幅が狭く、前記取付板１９を取付ける側において、内側パネル１８の側端部は縦補強部材２２を包囲するように終端し、該内側パネル１８の端部と前記外側パネル１７の端部の側面板３０との間には、上下方向に凹溝３１が形成され、この凹溝３１を配線ダクトとして利用できるようにしている。
【００２２】
更に、前記取付板１９は、前記固定部２８から前記凹溝３１を跨いで側面パネル１１の端部へ延びた係止部３２を有し、前記固定部２８に対して係止部３２を段状に折曲して該係止部３２の側面を前記側面パネル１１の内面、つまり内側パネル１８の内面板２３と面一になるように設定し、そして前記係止部３２の先端で、前記側面パネル１１の側端から突出した端部に前記支柱３の係止孔１３，１３に嵌合係止する下向きフック３３，３３を形成している。つまり、前記下向きフック３３，…を設けた取付板１９を、前記側面パネル１１の後端部内側端の上下複数箇所に、該下向きフック３３，…の側面が該側面パネル１１の内面と略面一になるように取付けている。尚、前記外側パネル１７の側面板３０の端縁は、前記取付板１９の係止部３２に沿って外側方へ延び、該係止部３２に当接する折曲片３４を形成している。
【００２３】
前記支柱カバー１２は、図６及び図７に示すように、前記支柱３の略半分を外覆する断面略コ字形の長尺部材であり、化粧板３５の両側を直角に折曲して両挿入板３６，３６を形成し、該化粧板３５の裏面に突設したフック３７で前記支柱３の側面に係止できるようにしている。ここで、前記挿入板３６の先端は内向きに折曲して当接片３８とし、前記側面パネル１１の取付板１９の下向きフック３３，…を前記支柱３の係止孔１３，…に嵌合係止して取付けた後、前記支柱カバー１２を該支柱３にフック３７で係止して取付けた際に、前記側面パネル１１の折曲片３４の外側に当該当接片３８が重なって当接するようにしている。そして、前記支柱３に側面パネル１１，１１と支柱カバー１２を取付けた際に、該支柱カバー１２の外面と前記側面パネル１１の外面とを略面一に設定している。更に、前記支柱カバー１２をデザイン的なアクセントとするために支柱カバー１２の色を側面パネル１１とは異なる色に設定している。
【００２４】
更に、前記側面パネル１１の取付強度を高めるために、前記支柱３から離れた位置で該側面パネル１１の前部内面を前記脚体４又は天板６に連結する。本実施形態では、前記脚取付部材５の外側面、詳しくは係止板１４に前記側面パネル１１の内面又は前記下向きフック３３，…近傍の取付板１９の側面を当接した状態で、図８に示すように、前記下向きフック３３，…を前記支柱３の係止孔１３，…に嵌合係止するとともに、記脚体５の接地部３９と天板支持部４０の先端側にそれぞれ連結金具４１，４２にて前記側面パネルの内面を連結している。
【００２５】
前記脚体４の接地部３９は、図８に示すように、下方へ開放した溝部４３を有し、また前記天板支持部４０にも上方へ開放した溝部４４を有している。そして、本実施形態では、前記脚体４に何ら加工を施すことなく、前記連結金具４１，４２を用いて前記側面パネル１１を連結できるようにしている。それには、前記連結金具４１は、スチール板を折曲して側面視略Ｌ字状とし、前記側面パネル１１の内面にネジ止めする垂直片４５と接地部３９の下面に位置させる水平片４６とを有するとともに、該水平片４６に前記溝部４３に挿入する上向き凸部４７を形成した形状のものである。一方、前記連結金具４２は、スチール板を折曲して側面視倒Ｌ字状とし、前記側面パネル１１の内面にネジ止めする垂直片４８と天板支持部４０の上面に位置させる水平片４９とを有するとともに、該水平片４９に前記溝部４４に挿入する下向き凸部５０を形成した形状のものである。
【００２６】
そして、前記連結金具４２は、前記脚体４の天板支持部４０に連結片４Ａで取付ける際に、予め下向き凸部５０を溝部４４に挿入し、水平片４９を天板支持部４０に載せた状態で天板６を取付けて挟み込んでおくのである。前述のように、前記側面パネル１１を下向きフック３３，…を前記支柱３の係止孔１３，…に嵌合係止し、該側面パネル１１の内面を天板６の側端に接合した状態で、前記連結金具４２の垂直片４８を該側面パネル１１の内面にネジ止めし、それから前記連結金具４１の水平片４６を前記脚体４の接地部３９の下方へ差し入れて、上向き凸部４７を溝部４３に挿入し、該水平片４６を接地部３９の下面に当接させた状態で、前記垂直片４５を該側面パネル１１の内面にネジ止めするのである。このように、一対の前記連結金具４１，４２を用いて脚体４を上下から挟み込むように取付けることにより、該脚体４には一切後加工を施さなくても、確実に側面パネル１１を連結できるのである。
【００２７】
また、図９は、本発明の他の実施形態を示し、前述のように支柱カバー１２を用いないで、側面パネル１１の端部で外側面に沿って化粧片５１を延設することにより、前記支柱３を外覆するようにしたものである。つまり、前記側面パネル１１を構成する外側パネル１７の表面板２１の端部を側方へ延長し、先端でハゼ折りして前記化粧片５１を形成している。ここで、前記化粧片５１は前記支柱３の側面の横幅の１／２より若干狭くしている。そして、前記支柱３の前後両面から前記側面パネル１１，１１を取付けると、自動的に両側面パネル１１，１１の化粧片５１，５１で該支柱３が外覆されるのである。その他の構成は前記同様であるので、同一構成には同一符号を付して、その説明は省略する。
【００２８】
また、図１０及び図１１に示すように、前記側面パネル１１の外面には多数の半パンチ孔２０，…を形成し、該半パンチ孔２０，…を利用して側面パネル１１の外面に支持部材５２を取付け、該支持部材５２で小天板５３を取付けている。本実施形態では、前記小天板５３の先端部側の下面に支脚５４，５４を取付けて支持強度を高めている。ここで、前記支持部材５２は垂直板５５と水平板５６を有し、該垂直板５５の外面には前記半パンチ孔２０に係止する爪片５７，…を切り起こし形成している。本実施形態では、支柱３を挟んだ両側に取付けた各側面パネル１１，１１にそれぞれ支持部材５２を取付け、両支持部材５２，５２に跨って前記小天板５３を取付けている。尚、前記小天板５３以外のオプションとして小棚板、トレー等を取付けることができる。
【図面の簡単な説明】
【００２９】
【図１】本発明に係る棚付き机で一側端部に側面パネルを取付けた実施形態の側面図である。
【図２】本発明に係る棚付き机で両側端部に側面パネルを取付けた実施形態の側面図である。
【図３】同じく棚付き机の正面図である。
【図４】支柱、脚体及び側面パネルの関係を示す分解斜視図である。
【図５】棚付き机の端部に側面パネルと支柱カバーを取付け、天板を省略した状態の横断平面図である。
【図６】同じく拡大横断平面図である。
【図７】支柱に側面パネルと支柱カバーを取付けた状態の省略横断平面図である。
【図８】側面パネルを脚体に連結した状態の一部省略した縦断正面図である。
【図９】本発明の他の実施形態を示し、支柱に側面パネルを取付けた状態の省略横断平面図である。
【図１０】側面パネルの外側面にオプションとして小天板を取付けた状態の側面図である。
【図１１】同じくオプション取付用の支持部材の斜視図である。
【符号の説明】
【００３０】
１  収納棚、            ２  机、
３  支柱、              ４  脚体、
５  脚取付部材、        ６  天板、
７  連結杆、            ８  ブラケット、
９  棚板、              １０  幕板、
１１  側面パネル、      １２  支柱カバー、
１３  係止孔、          １４  係止板、
１５  固定板、          １６  下向きフック、
１７  外側パネル、      １８  内側パネル、
１９  取付板、          ２０  半パンチ孔、
２１  表面板、          ２２  縦補強部材、
２３  内面板、          ２４  係合段部、
２５  折曲縁、          ２６  スリット孔、
２７  スリット孔、      ２８  固定部、
２９  ネジ、            ３０  側面板、
３１  凹溝、            ３２  係止部、
３３  下向きフック、    ３４  折曲片、
３５  化粧板、          ３６  挿入板、
３７  フック、          ３８  当接片、
３８  接片、            ３９  接地部、
４０  天板支持部、      ４１  連結金具、
４２  連結金具、        ４３  溝部、
４４  溝部、            ４５  垂直片、
４６  水平片、          ４７  上向き凸部、
４８  垂直片、          ４９  水平片、
５０  下向き凸部、      ５１  化粧片、
５２  支持部材、        ５３  小天板、
５４  支脚、            ５５  垂直板、
５６  水平板、          ５７  爪片。
【図１】
2008086539.tif 000003
【図２】
2008086539.tif 000004
【図３】
2008086539.tif 000005
【図４】
2008086539.tif 000006
【図５】
2008086539.tif 000007
【図６】
2008086539.tif 000008
【図７】
2008086539.tif 000009
【図８】
2008086539.tif 000010
【図９】
2008086539.tif 000011
【図１０】
2008086539.tif 000012
【図１１】
2008086539.tif 000013